(57)【特許請求の範囲】
【請求項１】
暖房運転時に、圧縮機、四方弁、室内熱交換器、減圧器、室外熱交換器、前記四方弁の順に冷媒が流れるように連結したヒートポンプ式冷凍サイクルを有し、前記ヒートポンプ式冷凍サイクルにおいて、前記室内熱交換器と前記減圧器との間と、前記四方弁と前記室外熱交換器との間とを連結する第１のバイパス回路、および、前記四方弁と前記室内熱交換器との間と、前記減圧器と前記室外熱交換器との間とを連結する第２のバイパス回路を備え、前記第１のバイパス回路には冷媒加熱用二方弁および内部に冷媒流路を有する冷媒加熱器を設け、前記第２のバイパス回路には除霜用二方弁を設け、暖房運転終了時には、まず、前記冷媒加熱用二方弁を開いて前記減圧器を略閉塞とし第１のバイパス回路に冷媒を流す第１のバイパス運転を行い、所定時間経過後に、前記除霜用二方弁を開方向に制御して第２のバイパス回路に冷媒を流す第２のバイパス運転を行うことで前記室外熱交換器の除霜運転を行い、前記除霜運転が終了後に前記圧縮機の運転を停止させることを特徴とする空気調和装置。
【請求項２】
室外熱交換器の温度を検出する室外熱交換器温度検出装置と、外気温度を検出する外気温度検出装置とを備え、暖房運転終了時に、前記室外熱交換器の温度Ｔが設定温度Ｔａよりも低い、または、外気温度ｔが設定温度ｔａよりも低い場合は、暖房運転終了時に、除霜運転を実施することを特徴とする請求項１に記載の空気調和装置。
【請求項３】
前回の除霜運転終了後からの暖房運転の経過時間Ｔｈを記憶する記憶装置を備え、暖房運転終了時に、暖房運転の経過時間が所定時間Ｔｈａ以上であれば、暖房運転終了後に除霜運転を行った後、圧縮機の運転を停止することを特徴とする請求項１または２に記載の空気調和装置。
【請求項４】
前回除霜運転終了後からの暖房運転の累積時間Ｔｒを記憶する記憶装置を備え、暖房運転終了時に、暖房運転の累積時間が所定時間Ｔｒａ以上であれば、暖房運転終了後に除霜運転を行った後、圧縮機の運転を停止することを特徴とする請求項１から３のいずれか１項に記載の空気調和装置。
【請求項５】
室内送風機を備え、暖房運転終了時の除霜運転を行う際は、室内送風機を微少回転で運転
することを特徴とする請求項１から４のいずれか１項に記載の空気調和装置。
【請求項６】
暖房運転終了時に除霜する場合、室内熱交換器への冷媒回路を遮断することを特徴とする請求項１から４のいずれか１項に記載の空気調和装置。
【発明の詳細な説明】
【技術分野】
【０００１】
本発明は室外熱交換器に付着した霜を除霜する除霜運転を行う空気調和装置に関するものである。
【背景技術】
【０００２】
従来、この種の空気調和装置は、暖房運転停止時には四方弁を切り換え、冷凍サイクルの冷媒を暖房時と逆方向に流す、即ち、冷房時と同じ冷媒の流動方向とし、室外熱交換器に高温高圧の冷媒を流して室外熱交換器に付着した霜を融解する除霜方式で、除霜運転を行った後、空気調和装置の運転を停止するようにしている。これによって、特に夜間の暖房運転停止時にも除霜を十分行ってから停止できるので、翌朝の暖房運転開始時に着霜による能力不足を防止することができる（例えば、特許文献１参照）。
【０００３】
一方、この種の除霜方式では、除霜時は室内側の熱交換器が蒸発器となるため、室内の部屋の温度が低下して冷風感を感じるという基本的課題があり、この基本的課題への対策として、暖房継続しながら除霜運転する除霜方式として、冷凍サイクルに冷媒加熱器を有する冷媒加熱回路と除霜用回路を設け、冷媒加熱器によって加熱された冷媒を圧縮機を通った後、室内熱交換器を通る流れと除霜用回路を介して室外熱交換器に暖房時とは逆に流れ込む流れとに分岐し、室内熱交換器による室内暖房と室外熱交換器の除霜を同時に行うものがある（例えば、特許文献２参照）。
【０００４】
図７は、特許文献２に記載された従来の空気調和装置の冷凍サイクルの構成図を示すものである。図７に示すように、圧縮機１０１、四方弁１０２、室内熱交換器１１０、膨張機構１０５および室外熱交換器１０３を冷媒回路で連結してなるヒートポンプ式冷凍サイクルで、膨張機構１０５と室外熱交換器１０３の間と、圧縮機１０１の吸入側の間とを連結して冷媒加熱器１０４を有する冷媒加熱回路と、圧縮機１０１の吐出側と、室外熱交換器１０３と四方弁１０２の間とを連結する除霜用回路とを備え、室外熱交換器１０３の除霜を行う際、冷媒加熱器１０４によって加熱された冷媒が、圧縮機１０１を通った後、室内熱交換器１１０を通る流れと除霜用回路を介して室外熱交換器１０３を通る流れとに分岐され、これらの分岐した冷媒の流れが冷媒加熱回路の入口で合流し、再び冷媒加熱器１０４によって加熱されるように構成されている。
【０００５】
以上の従来の発明から、暖房運転後に、室内温度の低下に伴う冷風感を感じさせずに、室外熱交換器の除霜を十分行ってから停止できるので、翌朝の暖房運転開始時に着霜による能力不足を防止することができる。また、四方弁を切り換えることなく除霜運転することで、切換音および圧力変動音による違和感・不快感を与えることがない。
【特許文献１】特開昭６１−１７８７０号公報
【特許文献２】特開平１１−１８２９９４号公報
【発明の開示】
【発明が解決しようとする課題】
【０００６】
しかしながら、前記従来の構成では、除霜運転を行う際に、除霜用回路内の二方弁１０９ａを開放にして、室外熱交換器１０３と四方弁１０２との間に圧縮機１０１の吐出冷媒が流れることになるため、圧縮機１０１吸入側に除霜するホットガス冷媒が流れないように二方弁１０６が必要となるが、二方弁１０６は圧縮機１０１の吸入側に連結され、冷房および暖房運転の圧損を低減するためには口径の大きな二方弁が必要となり、非常に高価な二方弁となってしまう。
【０００７】
また暖房運転から除霜運転に切り換える際には室外熱交換器１０３の冷媒の流れが逆転するため、除霜運転を行う前に室外熱交換器１０３に流れ込む冷媒を止めるため、この室外熱交換器１０３の入口に二方弁１０７が必要となる。
【０００８】
したがって、この冷凍サイクルでは４個もの二方弁が必要となり、複雑で高価な方式となる。
【０００９】
また除霜に供された後の冷媒と室内熱交換器１１０で放熱した後の冷媒が合流するため、合流箇所における冷媒圧力が除霜に供された後の冷媒の圧力よりも高ければ、室外熱交換器１０３に冷媒が逆流し、低ければ室内熱交換器１１０側に冷媒が流れることになり、暖房しながら除霜運転を行うことが出来ない場合が発生する。
【００１０】
また、除霜に供された後の冷媒と室内熱交換器１１０で放熱した後の冷媒が合流するため、冷媒音が発生しやすく、冷媒合流部の圧力バランスの課題と冷媒音課題を解決するために冷媒合流器を必要とする場合が考えられる。
【００１１】
また、冷媒合流部では冷媒循環量が多くなり圧力損失が増加するため、その対策として配管の管径を大きくすることが必要となり、冷媒加熱器１０４が大型になってしまうという構造的課題もある。
【００１２】
さらに、冷房回路で運転すると冷媒加熱器１０４の配管内部は、低圧冷媒で安定して冷媒加熱器１０４の温度が低下することから冷媒加熱器１０４に結露する場合や二方弁１０８が故障で冷媒漏れを発生した場合でも冷媒加熱器に結露が発生して冷媒加熱器の信頼性、安全性に大きな問題がある。
【００１３】
本発明は、前記従来の課題を解決するもので、冷凍サイクルが簡単なバイパス回路で構成でき、冷媒音、圧力バランスの問題も発生せず、室内温度の低下に伴う冷気を感じさせない、安定した除霜運転を実施でき、次回運転開始より十分な暖房運転を行うことができる空気調和装置を提供することを目的とする。
【課題を解決するための手段】
【００１４】
前記従来の課題を解決するために、本発明の空気調和装置は、暖房運転時に、圧縮機、四方弁、室内熱交換器、減圧器、室外熱交換器、四方弁の順に冷媒が流れるように連結したヒートポンプ式冷凍サイクルを有し、ヒートポンプ式冷凍サイクルにおいて、室内熱交換器と減圧器との間と、四方弁と室外熱交換器との間とを連結する第１のバイパス回路、および、四方弁と室内熱交換器との間と、減圧器と室外熱交換器との間とを連結する第２のバイパス回路を備え、第１のバイパス回路には冷媒加熱用二方弁および内部に冷媒流路を有する冷媒加熱器を設け、第２のバイパス回路には除霜用二方弁を設け、暖房運転終了時には、まず、冷媒加熱用二方弁を開いて減圧器を略閉塞とし第１のバイパス回路に冷媒を流す第１のバイパス運転を行い、所定時間経過後に、除霜用二方弁を開方向に制御して第２のバイパス回路に冷媒を流す第２のバイパス運転を行うことで室外熱交換器の除霜運
転を行い、除霜運転が終了後に圧縮機の運転を停止させることで、室外熱交換器の除霜を行ったあと停止するようにしたものである。
【００１５】
これによって、圧縮機の吐出冷媒が圧縮機吸入側に流れたり、暖房運転から除霜運転に切り換える際に室外熱交換器の冷媒の流れが逆転したりしない構成なので、高価な二方弁を必要とせず、簡単なバイパス回路で構成でき、冷媒加熱器に流入する冷媒循環量が多くならないので大型化する必要もなく、冷媒音、圧力バランスの問題も発生せず、室内温度の低下に伴う冷気を感じさせない、安定した除霜運転を実施でき、次回運転開始より十分な暖房運転を行うことができる。
【発明の効果】
【００１６】
本発明の空気調和装置は、冷媒音、圧力バランスの問題が発生せず冷凍サイクルが簡単なバイパス回路で安価に構成でき、室内温度の低下に伴う冷気を感じさせない、安定した除霜運転を実施でき、次回運転開始より十分な暖房運転を行うことができるので、使用者に快適な空調環境をより安価に安定して提供することができる。
【発明を実施するための最良の形態】
【００１７】
第１の発明は圧縮機、暖房運転時に、圧縮機、四方弁、室内熱交換器、減圧器、室外熱交換器、前記四方弁の順に冷媒が流れるように連結したヒートポンプ式冷凍サイクルを有し、前記ヒートポンプ式冷凍サイクルにおいて、前記室内熱交換器と前記減圧器との間と、前記四方弁と前記室外熱交換器との間とを連結する第１のバイパス回路、および、前記四方弁と前記室内熱交換器との間と、前記減圧器と前記室外熱交換器との間とを連結する第２のバイパス回路を備え、前記第１のバイパス回路には冷媒加熱用二方弁および内部に冷媒流路を有する冷媒加熱器を設け、前記第２のバイパス回路には除霜用二方弁を設け、暖房運転終了時には、まず、前記冷媒加熱用二方弁を開いて前記減圧器を略閉塞とし第１のバイパス回路に冷媒を流す第１のバイパス運転を行い、所定時間経過後に、前記除霜用二方弁を開方向に制御して第２のバイパス回路に冷媒を流す第２のバイパス運転を行うことで前記室外熱交換器の除霜運転を行い、前記除霜運転が終了後に前記圧縮機の運転を停止させることにより、四方弁を切り換える時の冷媒音は発生せず、圧力変動が小さく、圧縮機のオイル変動も小さいことから圧縮機の信頼性の高い運転ができ、簡単なバイパス回路で室内温度の低下に伴う冷気を感じさせない、安定した除霜運転を実施でき、次回運転開始より十分な暖房運転を行うことができる。
【００１８】
また接続配管長が長くなる場合でも除霜回路が室外で行うため、配管長による除霜運転での圧縮機オイルレベルが下がることはなく長配管商品でも圧縮機の信頼性の高い運転ができる。
【００１９】
また全体冷媒の一部を除霜用に利用するため、冷媒加熱部に極端に多くの冷媒が流れないことからコンパクトな冷媒加熱器で構成できる。
【００２０】
また冷房運転を行った場合でも、冷媒加熱器に高温高圧の冷媒ガスが滞留して、冷媒加熱器は常に雰囲気の露点温度以上に保たれるため、冷媒加熱器に結露が発生することもない。
【００２１】
第２の発明は、特に、第１の発明において、室外熱交換器の温度を検出する室外熱交換器温度検出装置と、外気温度を検出する外気温度検出装置とを備え、暖房運転終了時に、室外熱交換器の温度Ｔが設定温度Ｔａよりも低い、または、外気温度ｔが設定温度ｔａよりも低い場合は、暖房運転終了時に、除霜運転を実施することで、運転時間を短縮し無駄な電気代を省くことが可能になる。
【００２２】
第３の発明は、特に、第１または第２の発明において、前回の除霜運転終了後からの暖房運転の経過時間Ｔｈを記憶する記憶装置を備え、暖房運転終了時に、暖房運転の経過時間が所定時間Ｔｈａ以上であれば、暖房運転終了後に除霜運転を行った後、圧縮機の運転を停止することで、より運転時間を短縮し無駄な電気代を省くことが可能になる。
【００２３】
第４の発明は、特に、第１〜３のいずれか１つの発明において、前回除霜運転終了後からの暖房運転の累積時間Ｔｒを記憶する記憶装置を備え、暖房運転終了時に、暖房運転の累積時間が所定時間Ｔｒａ以上であれば、暖房運転終了後に除霜運転を行った後、圧縮機の運転を停止することで、更に運転時間を短縮し無駄な電気代を省くことが可能になる。
【００２４】
第５の発明は、特に、第１〜４のいずれか１つの発明において、室内送風機を備え、暖房運転終了時の除霜運転を行う際は、室内送風機を微少回転で運転することで、室内熱交換器温度の上昇を和らげ熱膨張によるきしみ音の発生を防止するとともに、圧縮機吸入圧力を下げることにより高周波数高吸入圧力運転を避け圧縮機信頼性向上を図るものである。
【００２５】
第６の発明は、特に、第１〜４のいずれか１つの発明において、室内熱交換器への冷媒回路を遮断することで、圧縮機からの高圧吐出冷媒と冷媒加熱器双方によるエネルギーを室外機除霜に使用することができて除霜運転の短縮ができる。
【００２６】
以下、本発明の実施の形態について、図面を参照しながら説明する。なお、この実施の形態によって本発明が限定されるものではない。
【００２７】
（実施の形態１）
図１は、本発明の第１の実施の形態における空気調和装置の代表構成図を示すものである。
【００２８】
図１において、室外機２０は、圧縮機１、四方弁２、減圧器４、室外熱交換器５、室外送風機１９から構成されている。ここでの減圧器４は、電磁膨張弁でもよい。
【００２９】
また、室内機１８は、室内熱交換器３、室内送風機１７から構成されている。
【００３０】
更に室外機２０には第１のバイパス回路６及び第２のバイパス回路９が具備されている。第１のバイパス回路６は、室内熱交換器３と減圧器４の間と四方弁２と室外熱交換器５の間を連結しており、冷媒加熱用二方弁７、冷媒加熱用減圧器１２、冷媒加熱ヒータ１３と冷媒通過管部１４と蓄熱部１５とからなる冷媒加熱器８を有している。
【００３１】
第２のバイパス回路９は、四方弁２と室内熱交換器３の間と、減圧器４と室外熱交換器５の間を連結しており、除霜用二方弁１０、除霜用減圧器１１を有している。第２のバイパス回路９は、圧縮機１と四方弁２の間と、減圧器４と室外熱交換器５の間を連結してもよい。
【００３２】
通常の暖房運転において、冷媒加熱用二方弁７及び除霜用二方弁１０は閉じており、第１のバイパス回路６及び第２のバイパス回路９を冷媒は流れず、圧縮機１で圧縮された冷媒は四方弁２を通って、室内熱交換器３で凝縮されて室内空気を放熱する。更に減圧器４で減圧されて室外熱交換器５で蒸発して、室外空気から熱量を取り込み、再び圧縮機１に戻り、圧縮されるという冷凍サイクルを繰り返し、室内を暖房するものである。
【００３３】
しかし、室外気温が零下など非常に低い場合、室外熱交換器５に霜が付着し、室外空気との熱交換効率が低下し、暖房能力が落ちてしまうため、除霜する必要がある。
【００３４】
特に、冬季の夜間暖房運転停止時に、除霜が十分できていない状態であった場合、翌朝の暖房運転開始に際しては、前夜の除霜が十分でないために或いは暖房運転開始直後に除霜運転が開始されるために、暖房能力が不十分で更に立上り速度が遅くなることで、特に暖房能力と立上り速度が必要とされる冬季早朝の暖房開始時にユーザーの要望に応えられないこととなるので、室外熱交換器の除霜が必要となる。
【００３５】
図２は、本発明の第１の実施の形態における制御ブロック図、図３は、本発明の第１の実施の形態における制御のタイムチャートを示すものである。
【００３６】
図２では室外機側で除霜開始判断が除霜開始判断手段５０でなされ、除霜開始と判断された時に圧縮機運転手段５１、冷媒加熱用二方弁開閉手段５２、除霜用二方弁開閉手段５３、膨張弁開度可変手段５４、室外送風機運転手段５５、四方弁切り換え手段５６、加熱器ヒータ運転停止手段が各動作をすることにより除霜運転が行われる。
【００３７】
このとき室外機２０からの除霜開始信号を室内機１８の除霜開始信号受信手段５８で受信して、除霜運転の判断より室内送風機運転手段５９で室内送風機１７を制御する。
【００３８】
図３に示すように、暖房運転終了時に除霜開始の判断をすると、ステップ１のヒートポンプによる暖房運転からステップ２の冷媒加熱運転による除霜運転に移行する。暖房運転終了時に除霜開始の判断をする条件については後述する。
【００３９】
ステップ２ではまず、冷媒加熱用二方弁７をＯＮして開方向に制御し、また冷媒加熱ヒータ１３をＯＮして第１のバイパス回路６を導通させ、冷媒加熱運転を行う。このとき減圧器４である膨張弁は閉塞運転かまたは閉塞に近い運転を行う。
【００４０】
従って、室内熱交換器３で凝縮された冷媒は、大半が第１のバイパス回路６に流れ、冷媒加熱用二方弁７、冷媒加熱用減圧器１２を通って冷媒加熱器８内の冷媒通過管部１４を通り、冷媒加熱ヒータ１３によって加熱される。
【００４１】
また、第１のバイパス回路６を通らずに室外熱交換器５に流れた僅かな冷媒は、四方弁２の手前で再び第１のバイパス回路６で加熱された冷媒と合流する。四方弁２は、暖房回路のままで除霜中も切り替えしないので、冷媒は、四方弁２を通り、圧縮機１で圧縮される。
【００４２】
また、室内送風機１７は停止中であることに違和感をもたせないような微少回転で運転継続する。これにより、室内熱交換器３温度の上昇を和らげ熱膨張によるきしみ音の発生を防止するとともに、圧縮機１の吸入圧力を下げる効果があり、そのことにより高周波数高吸入圧力運転を避け圧縮機信頼性向上を図るものである。
【００４３】
次にステップ３で、室外熱交換器５の除霜を行うために除霜用二方弁１０をＯＮして開方向に制御し、第２のバイパス回路９を導通させる。また圧縮機１は、除霜用の運転周波数で運転する。また室外送風機１９はＯＦＦ（停止）させる。
【００４４】
これにより、圧縮機１で室外熱交換器５の除霜に十分な状態に圧縮された冷媒は、一部が第２のバイパス回路９に流れ込み、除霜用二方弁１０、除霜用減圧器１１を通り、室外熱交換器５に入る。冷媒は室外熱交換器５の除霜に十分な状態に圧縮されており、更に室外送風機１９は停止しているので、冷媒は室外空気とほとんど熱交換されず、従って、室外熱交換器５の除霜のためにその熱量が使用される。
【００４５】
以上のステップによって、室内温度の低下に伴う冷風感を感じさせずに安定した除霜運転を実施し、室外熱交換器５の除霜終了に続いてステップ４では室外熱交換器除霜中に蓄熱した熱を放熱して、室外送風機１９周辺の氷霜の溶解運転を行う。
【００４６】
ステップ４は、冷媒加熱用二方弁７ＯＮの開放運転、冷媒加熱ヒータ１３ＯＮの冷媒加熱運転かつ減圧器４である膨張弁は閉塞運転かまたは閉塞に近い運転、即ち第１のバイパス回路６を導通したままで、除霜用二方弁１０はＯＦＦの閉制御で第２のバイパス回路９を遮断、圧縮機１を除霜前の運転周波数に戻して室外送風機１９を運転させる、ステップ２と同じ制御とする。
【００４７】
従って、室内熱交換器３で凝縮された冷媒は、大半が第１のバイパス回路６に流れ、冷媒加熱用二方弁７、冷媒加熱用減圧器１２を通って冷媒加熱器８内の冷媒通過管部１４を通り、冷媒加熱ヒータ１３によって加熱される。
【００４８】
また、第１のバイパス回路６を通らずに室外熱交換器５に流れた僅かな冷媒は、まだ十分な熱量を持っており、更に除霜の際に室外熱交換器５に蓄熱された熱量が十分残っているので、それらの熱量が室外送風機１９に熱伝達され、室外送風機１９周辺の氷霜が溶解される。
【００４９】
その後、室外熱交換器５を通った冷媒は、四方弁２の手前で再び第１のバイパス回路６で加熱された冷媒と合流し、四方弁２を通り、圧縮機１で圧縮される。
【００５０】
但し、室内送風機１７は、室内熱交換器３温度の上昇を和らげ熱膨張によるきしみ音の発生を防止するとともに、圧縮機１の吸入圧力を下げる効果により高周波数高吸入圧力運転を避け圧縮機信頼性向上を図るため、微少回転での運転を継続する。
【００５１】
以上のステップ２〜４により、室外熱交換器５の除霜、室外送風機１９周辺の氷霜の溶解が完了し、次にステップ５で一旦、通常のヒートポンプ暖房運転に戻して圧縮機１の停止準備に入り、ステップ６で圧縮機１、室外送風機１９、室内送風機１７の運転を停止する。尚、この通常のヒートポンプ暖房運転に一旦復帰するステップ５は省略してもよい。
【００５２】
ここで、前述の暖房運転終了時に除霜開始の判断をする条件について、図４を用いて説明する。図４は、本発明の第１の実施の形態における室外気温度ｔと室外熱交換器温度Ｔの制御の相関図である。
【００５３】
図４において、縦軸に室外気温度ｔ、横軸に室外熱交換器温度Ｔを記し、斜線部の条件で、暖房運転終了時に除霜開始の判断をするとしたものである。
【００５４】
即ち、運転停止時の室外熱交換器温度Ｔと設定室外熱交換器温度Ｔａの比較、室外気温度ｔと設定室外気温度ｔａの比較を行い、少なくともどちらか一方の検出温度が設定温度よりも低い場合、暖房運転停止時の室外熱交換器着霜量が多いと推定して除霜運転を行い、着霜量が少ないと判断すれば除霜運転を行わないようにすることで、運転時間を短縮し無駄な電気代を省くことが可能になる。
【００５５】
なお暖房運転停止時の着霜量の推定方法として図５のように室外熱交換器温度と室外気温度の関係を簡易１次式として判断してもよい。
【００５６】
また、前述の暖房運転終了時に除霜開始の判断をする条件の別の例として、図６を用いて説明する。図６は、本発明の第１の実施の形態におけるフローチャートである。
【００５７】
図６において、暖房運転時間Ｔｈ、暖房運転累積時間Ｔｒとし運転停止時のＴｈ、Ｔｒが設定値Ｔｈａ、Ｔｒａに対して大きくなっている場合にのみ除霜運転を行うように設定されている。
【００５８】
まず、ＳＴＥＰ１〜４において、空気調和装置の運転状態に応じて、暖房運転時間Ｔｈ、暖房運転累積時間Ｔｒのリセットを行う。
【００５９】
即ち、ＳＴＥＰ１、２においてＴｈ、Ｔｒをリセットし、ＳＴＥＰ３において暖房運転の判断を行う。暖房運転でない場合はＴｈのみリセットを行う。ＳＴＥＰ４において運転時間をカウントし、ＳＴＥＰ５において除霜運転の判断を行う。除霜運転中であればＴｈ、Ｔｒともにリセットする。
【００６０】
次に、ＳＴＥＰ６にて暖房運転停止操作の判断を行い、暖房運転停止されたと判断した場合、ＳＴＥＰ７でＴｈ、ＴｒとＴｈａ，Ｔｒａの比較を行う。ＴｈまたはＴｒのうちどちらかひとつでもＴｈａ，Ｔｒａより大きい場合は、暖房運転が長かったことから室外熱交換器着霜量が多いと推定できるので、ＳＴＥＰ８で除霜運転をおこなったあと運転停止とし、そうでない場合には、着霜量が少ないと推定して除霜運転は行わない。このようにすることで、より運転時間を短縮し無駄な電気代を省くことが可能になる。
【００６１】
更に、図１の圧縮機１の吐出側と室内熱交換器３の間に二方弁等を設けて、除霜運転時に室内熱交換器への冷媒回路を遮断することで、圧縮機１からの高圧吐出冷媒を全て第２のバイパス回路９に流すことで、室外熱交換器５の除霜に使用することにしてもよい。その際、冷媒加熱器８でも冷媒加熱を行えば、圧縮機１からの高圧吐出冷媒と冷媒加熱器８双方によるエネルギーを室外機除霜に使用することができて除霜運転の短縮ができる。
【００６２】
また、冷媒加熱器８は使用せず、圧縮機１からの高圧吐出冷媒だけで除霜するようにしてもよい。
【００６３】
以上のように、本実施の形態においてはヒートポンプ式冷凍サイクルに連結された室内熱交換器と減圧器の間と四方弁と室外熱交換器の間を連結する第１のバイパス回路に二方弁及び冷媒加熱器を設け、さらに冷凍サイクルに連結された四方弁と室内熱交換器の間と、減圧器と室外熱交換器の間、または冷凍サイクルに連結された圧縮機と四方弁の間と、減圧器と室外熱交換器の間を連結する第２のバイパス回路に二方弁を設け、暖房運転終了時には、第１のバイパス回路の二方弁を開放して冷媒加熱器で加熱された冷媒を圧縮機の吸入側に流す第１のバイパス運転と、第２のバイパス回路の二方弁を開放して室外熱交換器に冷媒を通過させる第２のバイパス運転を行うことで、室外熱交換器の除霜を行ったあと停止することにより、冷媒音、圧力バランスの問題が発生せず冷凍サイクルが簡単なバイパス回路で安価に構成でき、室内温度の低下に伴う冷気を感じさせない、安定した除霜運転を実施でき、次回運転開始より十分な暖房運転を行うことができる。
【００６４】
また、本実施の形態では暖房運転終了時の室外熱交換器温度及び外気温度のどちらか一方の検出温度をあらかじめ設定した所定の温度と比較することで、暖房運転停止時の室外熱交換器着霜量を推定し、着霜量が少ないと判断すれば除霜運転を行わないようにすることで、運転時間を短縮し無駄な電気代を省くことが可能になる。
【００６５】
また、本実施の形態の暖房運転終了時の前回の除霜運転終了後からの経過時間か前回除霜運転終了後からの累積運転時間の少なくとも一方をあらかじめ設定した所定の時間と比較することで、暖房運転停止時の室外熱交換器着霜量を推定し、着霜量が少ないと判断すれば除霜運転を行わないようにすることで、より運転時間を短縮し無駄な電気代を省くことが可能になる。
【００６６】
また、本実施の形態では暖房運転終了時に除霜する場合、室内送風機を微少回転で運転することにより、室内熱交換器温度の上昇を和らげ熱膨張によるきしみ音の発生を防止するとともに、圧縮機の吸入圧力を下げる効果があり、そのことにより高周波数高吸入圧力運転を避け圧縮機信頼性向上を図ることができる。
【００６７】
また、本実施の形態の暖房運転終了時に除霜する場合、室内熱交換器への冷媒回路を遮断することにより、特に、圧縮機からの高圧吐出冷媒と冷媒加熱器双方によるエネルギーを室外機除霜に使用することができて除霜運転の短縮ができる。
【産業上の利用可能性】
【００６８】
以上のように、本発明にかかる空気調和装置は、冷媒音、圧力バランスの問題が発生せず冷凍サイクルが簡単なバイパス回路で安価に構成でき、室内温度の低下に伴う冷気を感じさせない、安定した除霜運転を実施でき、次回運転開始より十分な暖房運転を行うことができるので、システム型エアコンやヒートポンプ給湯機等の用途にも適用できる。
【図面の簡単な説明】
【００６９】
【図１】本発明の実施の形態１における空気調和装置の代表構成図
【図２】本発明の実施の形態１における制御ブロック図
【図３】本発明の実施の形態１における制御のタイムチャート
【図４】本発明の実施の形態１における室外気温度ｔと室外熱交換器温度Ｔの制御の相関図
【図５】本発明の実施の形態１における室外気温度ｔと室外熱交換器温度Ｔの制御の相関図
【図６】本発明の実施の形態１におけるフローチャート
【図７】従来の空気調和装置の冷凍サイクルの構成図
【符号の説明】
【００７０】
１  圧縮機
２  四方弁
３  室内熱交換器
４  減圧器
５  室外熱交換器
６  第１のバイパス回路
７  冷媒加熱用二方弁
８  加熱器
９  第２のバイパス回路
１０  除霜用二方弁
１１  除霜用減圧器
１２  冷媒加熱用減圧器
１３  加熱器ヒータ
１４  冷媒通過管部
１５  蓄熱部
１７  室内送風機
１８  室内機
１９  室外送風機
２０  室外機
【図１】
0004605065.tif 000002
【図２】
0004605065.tif 000003
【図３】
0004605065.tif 000004
【図４】
0004605065.tif 000005
【図５】
0004605065.tif 000006
【図６】
0004605065.tif 000007
【図７】
0004605065.tif 000008